(57)【特許請求の範囲】
【請求項１】
生分解性の下地シートの小片を岩礁構造物表面に予め接着剤により張付け、海藻種苗を付着させてなる種苗シートの小片を前記下地シートの小片に接合して、該小片の多数を計画造成域内に分散させることを特徴とする藻場造成方法。
【請求項２】
種苗シートの小片を、接着剤により下地シートの小片に接合することを特徴とする請求項１に記載の藻場造成方法。
【請求項３】
種苗シートの小片を、熱溶着により下地シートの小片に接合することを特徴とする請求項１に記載の藻場造成方法。
【請求項４】
前記種苗シートの小片は生分解性のシート状基材に海藻種苗を付着させてなるものであり、前記岩礁構造物は、自然石、人造ブロックであることを特徴とする請求項１乃至３の何れか１項に記載の藻場造成方法。
【請求項５】
前記生分解性のシート状基材が、不織布であることを特徴とする請求項１乃至４の何れか１項に記載の藻場造成方法。
【請求項６】
前記種苗シートの小片が、一辺１５〜４０ｍｍの四角形状をなすことを特徴とする請求項１乃至５の何れか１項に記載の藻場造成方法。
【請求項７】
前記種苗シートの小片を、海中で前記下地シートの小片に張付けることを特徴とする請求項１乃至６のいずれか１項に記載の藻場造成方法。
【請求項８】
前記種苗シートの小片を、陸上で前記下地シートの小片に張付け、該小片を張付けた岩礁構造物を計画造成域に沈設することを特徴とする請求項項１乃至６の何れか１項に記載の藻場造成方法。
【発明の詳細な説明】
【０００１】
【発明が属する技術分野】
本発明は、カジメ、アカモクなどの岩礁性藻場を人工的に造成する方法に関する。
【０００２】
【従来の技術】
近年、海洋環境の改善、漁場の拡大等を目的に人工的に藻場を造成することが活発に行われている。そして従来、アマモが繁殖するいわゆるアマモ場の造成に関しては、例えば、種苗を付着させた大型の播種シート、マット、ネット等を海底に展張敷設する造成方法が開発実施され（例えば、特開平１１−３０８９０４号公報、特開平０９−１４０２８４号公報、特開平０８−２４２７１６号公報等参照）、それなりの成果を上げている。
【０００３】
しかし、藻場の造成に関しては、上記した播種シート等の使用は、むしろ石、岩、人造ブロック等を含む岩礁構造物に対する根の着生の障害となり、そこで従来は、計画造成域の海中にカジメ、アカモクなどの海藻種苗を放流して自然な着生を期待するか、人造ブロックを着生し易い形状にして自然な着生を期待するか（例えば、特開平０８−２１４７２５号公報）、あるいは既存の藻場に資材を仮置きしてこれに種苗を着生、生育させた後、この資材を移設して新たな藻場を造成するか（例えば、特開平１１−０６９９２４号公報）していた。
【０００４】
【発明が解決しようとする課題】
しかしながら、上記海藻種苗を放流する方法によれば、潮流などの影響により計画造成域外へ流出してしまう種苗の割合がかなり高いため、費用対効果の面で問題が多く、また、上記人造ブロックの形状変更によれば、自然な着生を期待するだけであるため、その効果は小さく、さらに、上記仮置き資材を移設する方法によれば、種苗の着生、生育に長期間を要するばかりか、資材の仮置き、回収、移設に多くの工数を要し、何れの方法ともに、効率よく藻場を造成することは困難である、という問題があった。
なお、一部では、種苗を付着させた合成繊維製ロープ（種糸）を岩礁構造物に添設することが試みられているが、この方法では、前記種糸を岩礁構造物に位置固定的に添わせるのが極めて困難で、実質、その利用は断念せざるを得ない状況にあった。
【０００５】
本発明は、上記従来の問題点を解決するためになされたもので、その課題とするところは、自然石、人造ブロック等の岩礁構造物表面にカジメ、アカモクなどの海藻種苗を容易かつ確実に着生させることを可能にし、もって効率よく藻場を造成できる造成方法を提供することにある。
【０００６】
【課題を解決するための手段】
上記課題を解決するため、本発明は、生分解性の下地シートの小片を岩礁構造物表面に予め接着剤により張付け、海藻種苗を付着させてなる種苗シートの小片を前記下地シートの小片に接合して、該小片の多数を計画造成域内に分散させることを特徴とする。
このように行う藻場造成方法においては、予め下地シートの小片を岩礁構造物表面に張付けておくことで、種苗シートの小片を岩礁構造物に直接張付ける場合よりも簡単に張付けを行うことができる。
この場合、種苗シートの小片を下地シートの小片に接合する方法としては、接着剤による接合はもとより、超音波融着による接合を採用することができる。
【０００７】
本発明において、前記種苗シートの小片は生分解性のシート状基材に海藻種苗を付着させてなるものであり、前記岩礁構造物は、自然石、人造ブロックであることを特徴とする。
ここで、種苗とは、胞子、遊走子、若い胞子体、配偶体、接合子、葉状体、卵、幼体、精子などの種を意味する。
そして、上記のように行う藻場造成方法においては、種苗シートの小片を介して海藻種苗が岩礁構造物表面に取付けられるので、その位置は不動となり、この不動状態で、その根が拡張して小片周りの岩礁構造物表面に着生する。しかも、種苗シートを構成するシート状基材は生分解性となっているので、所定期間経過後は、小片は分解消滅し、根の全体が岩礁構造物表面に着生する。
【０００８】
本発明において、上記種苗シートを構成する生分解性のシート状基材の種類は任意であり、例えば、アセチルセルロース、セルロース、でんぷん等を始め、それらの複合材料からなる不織布を用いることができる。この場合、不織布の目の粗さとしては、あまり細かいと種苗が付着し難く、逆に粗すぎると付着する種苗の絶対数が減じるので、目付量として30〜100ｇ／ｍ２程度のものを用いるのが望ましい。
また、上記種苗シートの小片は、その形状を特定するものではないが、幅広シートを碁盤目状に裁断することにより多量に製作できることから、正方形、長方形等の四角形状とするのが望ましい。この場合、小片の大きさは、付着させる海藻種苗により左右される。カジメなどの海藻では、糸条根と呼ばれる根の形状を持ち、直径50〜80ｍｍ程度に複数の根が張り出すため、一辺の大きさを30〜40ｍｍとする。しかし、アカモクなどは盤状根と呼ばれる薄い円盤状であり、その直径は、10〜20ｍｍほどであるために種苗シートの大きさも一辺を10〜20ｍｍ程度の長さとする必要がある。
【０００９】
本発明は、種苗シートの小片を、海中で岩礁構造物表面に張付けても、陸上で岩礁構造物表面に張付けてもよいものである。海中で張付ける場合は、張付け対象となる岩礁構造物としては、海陸を形成する岩盤はもとより、既存の自然石、消波ブロック等の既存の人造ブロックが存在するが、事前にこれら岩礁構造物の張付け場所を研削して肌を露出させておくようにする。一方、陸上で張付ける場合は、主として自然石、人造ブロックが対象となり、この場合は、小片を張付けた後、これら岩礁構造物を可及的速やかに計画造成域に沈設する。
【００１０】
本発明において、上記種苗シートの小片を岩礁構造物表面に張付ける接着剤としては、ある程度耐水性を有するもの、すなわちカジメ、アカモクなどの海藻種苗が岩礁構造物に定着するまでの期間、十分なる接着力を維持するものを選択するが、種苗シートの小片を水中で岩礁構造物表面に張付ける場合は、当然のこととして水中使用可能な接着剤を用いる必要がある。このような接着剤としては、例えば、エポキシ樹脂系水中ボンド（コニシ社製、Ｅ３８０、Ｅセット）水中硬化型エポキシ樹脂（ダイトー社製、ＡＣマリンコート）等がある。
【００１１】
【発明の実施の形態】
以下、本発明の実施の形態を添付図面に基いて説明する。
【００１２】
図１は、本発明に係る藻場造成方法の一つの実施の形態を示したものである。本実施の形態は、陸上作業で、カジメ種苗１を付着させてなる種苗シート２の小片３を、下地シートの小片４を介して岩礁構造物であるコンクリート製ブロック（人造ブロック）５の表面に張付け、この種苗シート付きブロック５を海底に沈設して藻場を造成しようとするものである。
【００１３】
しかして、その実施に際しては、予め陸上に設置された水槽内に、母藻から放出されたカジメ種苗を放流し、この水槽内に、生分解性の不織布からなる所定大きさの（幅広の）シート基材６を浸漬して、このシート基材６に一様にカジメ種苗を付着（着床）させる。そして、シート基材６は、そのまま水槽内に一定期間浸漬させておく。すると、シート基材６に着床していたカジメ種苗が、次第に発芽、生育して、その根をシート基材６にからみ着かせ、これにより、図１の上段に示したように一面に多数のカジメ種苗１を植立させた種苗シート２が完成する。
【００１４】
その後、上記種苗シート２を水槽から取出し、適宜乾燥させないように留意しながら、これを碁盤目状に裁断して、例えば、一辺が約25ｍｍとなる正方形の小片３を製作する。一方、この種苗シート２の小片３の製作と平行して、同じ生分解性の不織布からなる下地シートを裁断して、前記種苗シート２の小片３と同等かそれよりわずか大きい小片４を製作し、この下地シートの小片４を、対象となるブロック５の表面に接着剤７（図２参照）を用いて貼着しておく。次に、この小片４を貼着したブロック５を作業船上に搬入し、さらに、この作業船に前記種苗シート２の小片３も搬入して、藻場の計画造成域に作業船を移動させる。そして、作業船上において、前記ブロック５に予め貼着された下地シートの小片４に種苗シート２の小片３を接合し、その後、この種苗シート２の小片３を接合したブロック５を順次計画造成域の海底に沈設する。
【００１５】
ここで、カジメ種苗１が乾燥しないように留意しながら、上記種苗シート付きブロック５の沈設に合せて、種苗シート２およびその小片３の製作、下地シートの小片４のブロック５への貼着、下地シート小片４への種苗シート小片３の接合をそれぞれ実施する。この場合、種苗シート２およびその小片３の製作を作業船上で行うようにしてもよく、これにより施工が長期にわたる場合でも、連続施工が可能になる。また、下地シートの小片４への種苗シート小片３の接合は、接着剤を用いて行ってもよいが、接合後、直ちに沈設可能であることから、その接合には超音波融着を利用するのが望ましい。超音波融着を行う場合は、下地シートの小片４としては、種苗シート２の小片３よりも厚いものを用いるのが望ましく、これにより超音波融着をより安定して行うことができる。
【００１６】
このようにして、計画造成域内への種苗シート付きブロック５の沈設を終えるが、沈設後のブロック５上のカジメ種苗１は、図２に示すように着生、生育する。すなわち、海底にブロック５を沈設した直後の種苗シート２は、同図（Ａ）に示すように、多数のカジメ種苗１を有する状態となっている。この状態から所定期間経過すると、多数のカジメ種苗１のうちのいくつかが、何らかの理由により死滅し、同図（Ｂ）に示すように、勢力の強いカジメ種苗１が、その根１ａを次第に種苗シート２の小片３に沿って拡張させると共に、その茎を生長させる。その後、さらに期間が経過すると、同図（Ｃ）に示すように、カジメ種苗１の根１ａが、種苗シート２の小片３および下地シートの小片４を乗り越えて拡張し、条件によっては、一枚の小片３に対して、図示のように１つのカジメ種苗１が生き延びて、その根１ａがこれら小片３、４の周りのブロック表面に着生する。そして、この段階になると、生分解性の不織布からなる各小片３、４が分解消滅し、根１ａの全体が岩礁構造物としてのブロック５の表面に着生し、以降、ブロック５上の各カジメが大きく生長して藻場が完成する。
【００１７】
本実施の形態においては、陸上（あるいは作業船上）で、種苗シート２の小片３を、下地シートの小片４を介して岩礁構造物であるブロック５の表面に張付けるようにしているので、一連の作業は容易となり、水中作業が不要になる分、施工能率が向上する。また、種苗シート２の基材６および下地シートとして不織布を用いているので、ブロック５の表面によく倣い、それらの小片３、４をより確実にブロック５の表面に張付かせることができる。
【００１８】
【発明の効果】
以上、説明したように、本発明に係る藻場造成方法によれば、自然石、人造ブロック等の岩礁構造物表面にカジメ、アカモクなどの海藻種苗を容易かつ確実に着生させることができ、藻場を効率よく造成できるようになる。
【図面の簡単な説明】
【図１】  本発明の一つの実施の形態としての、カジメによる藻場造成における作業手順を示す模式図である。
【図２】  沈設後のブロック上におけるカジメ種苗の着生、生育状況を示す模式図である。
【符号の説明】
１    カジメ種苗（海藻種苗）
２    種苗シート
３    種苗シートの小片
４    下地シートの小片
５    ブロック（岩礁構造物）
６    生分解性のシート状基材
７    接着剤
【図１】
0004605421.tif 000002
【図２】
0004605421.tif 000003